(57)【要約】【課題】拡大画像と、全体画像のうち常に画面表示する部分とを、表示領域を狭くすることなく同時に表示することのできる画像表示装置を得る。【解決手段】表示部が表示する画像のうち拡大表示を行わない非拡大領域を指定する情報を格納する記憶部１６を備え、制御部１５は、画像調整部１７に拡大表示をするよう指示する際に、非拡大領域を指定する情報を記憶部１６より取得し、その非拡大領域は拡大表示をしないよう画像調整部１７に指示し、画像調整部１７は、非拡大領域の画像信号を通常表示するとともに、拡大表示するよう指示された領域を拡大表示するよう、画像信号処理部１４が生成した画像信号を調整し、表示部１８は、画像調整部１７が調整した画像信号に基づき画像表示を行う。【選択図】図２
2009116235.tif 000002
【特許請求の範囲】
【請求項１】
入力画像信号に基づき出力画像信号を生成する画像信号処理部と、
前記画像信号処理部が生成した画像信号を調整する画像調整部と、
前記画像信号処理部が生成した画像信号または前記画像調整部が調整した画像信号に基づき画像表示を行う表示部と、
前記表示部が表示する画像のうち拡大表示を行わない非拡大領域を指定する情報を格納する記憶部と、
前記画像信号処理部および前記画像調整部の動作を制御する制御部と、
を備え、
前記制御部は、
前記画像調整部に拡大表示をするよう指示する際に、
前記非拡大領域を指定する情報を前記記憶部より取得し、
その非拡大領域は拡大表示をしないよう前記画像調整部に指示し、
前記画像調整部は、
前記非拡大領域の画像信号を通常表示するとともに、拡大表示するよう指示された領域を拡大表示するよう、前記画像信号処理部が生成した画像信号を調整し、
前記表示部は、
前記画像調整部が調整した画像信号に基づき画像表示を行う
ことを特徴とする画像表示装置。
【請求項２】
前記記憶部は、
拡大表示をするよう指示された領域のうち、さらなる拡大表示を行わない第２非拡大領域を指定する情報を格納し、
前記制御部は、
前記画像調整部に拡大表示を指示した後さらなる拡大表示をするよう指示する際に、
前記第２非拡大領域を指定する情報を前記記憶部より取得し、
その第２非拡大領域はさらなる拡大表示をしないよう前記画像調整部に指示し、
前記画像調整部は、
前記第２非拡大領域を拡大表示するとともに、拡大表示するよう指示された領域のうち前記第２非拡大領域以外の領域をさらに拡大表示するよう、前記画像信号処理部が処理した画像信号を調整し、
前記表示部は、
前記画像調整部が調整した画像信号に基づき画像表示を行う
ことを特徴とする請求項１に記載の画像表示装置。
【請求項３】
画像表示を行う画像表示装置の画像表示動作を制御する方法であって、
画像の拡大表示をするよう指示するステップと、
拡大表示を行わない非拡大領域を指定する情報を取得するステップと、
前記非拡大領域を通常表示するとともに、拡大表示するよう指示した領域を拡大表示するよう画像を調整するステップと、
調整した画像を表示させるステップと、
を有することを特徴とする画像表示装置の制御方法。
【発明の詳細な説明】
【技術分野】
【０００１】
本発明は、画像表示を行う画像表示装置、およびその制御方法に関するものである。
【背景技術】
【０００２】
従来、画像表示プログラムに関し、特許文献１に、「画像の拡大設定を容易化した画像表示プログラムを提供する。」ことを目的とした技術として、「高精細画像全体表示部２１に拡大範囲の指定対象となる画像を表示する処理と、当該表示した画像と比べて拡大して当該画像のうちの一部の範囲の画像を拡大設定サブウインドウ７２に表示する処理と、当該表示した画像について表示枠７３によりオペレータから拡大範囲の指定を受け付ける処理と、当該指定を受け付けた拡大範囲の画像を前記拡大範囲の指定対象となる画像と比べて拡大して高精細画像拡大表示部２２ｃに表示する処理と、を実行する。」というものが提案されている（要約参照）。
【０００３】
【特許文献１】特開２００６−１２１５５１号公報
【発明の開示】
【発明が解決しようとする課題】
【０００４】
プレゼンテーションを行う場合などに画像表示装置で表示する画像には、上下にタイトル部分などの領域が設けられていることがある。この部分は多くの場合各画像に共通に設けられており、その役割上から、常に画面表示されていることが望ましい。
【０００５】
一方、表示画像を拡大表示する場合、そのまま拡大表示すると、上下のタイトル部分などが画面上から消えてしまうので、これらの部分を見る場合には再度通常表示に戻すか、もしくは表示位置をずらす必要がある。
【０００６】
この点に関し、上記特許文献１に記載の技術では、全体画像と拡大画像を１画面で表示しており、これらを同時に見ることができるが、１画面で全体画像と拡大画像を同時に表示すると、表示領域が狭くなってしまう。
【０００７】
本発明は、上記のような課題を解決するためになされたものであり、拡大画像と、全体画像のうち常に画面表示する部分とを、表示領域を狭くすることなく同時に表示することのできる画像表示装置を得ることを目的とする。
【課題を解決するための手段】
【０００８】
本発明に係る画像表示装置は、入力画像信号に基づき出力画像信号を生成する画像信号処理部と、前記画像信号処理部が生成した画像信号を調整する画像調整部と、前記画像信号処理部が生成した画像信号または前記画像調整部が調整した画像信号に基づき画像表示を行う表示部と、前記表示部が表示する画像のうち拡大表示を行わない非拡大領域を指定する情報を格納する記憶部と、前記画像信号処理部および前記画像調整部の動作を制御する制御部と、を備え、前記制御部は、前記画像調整部に拡大表示をするよう指示する際に、前記非拡大領域を指定する情報を前記記憶部より取得し、その非拡大領域は拡大表示をしないよう前記画像調整部に指示し、前記画像調整部は、前記非拡大領域の画像信号を通常表示するとともに、拡大表示するよう指示された領域を拡大表示するよう、前記画像信号処理部が生成した画像信号を調整し、前記表示部は、前記画像調整部が調整した画像信号に基づき画像表示を行う。
そのため、拡大表示時にも非拡大領域を通常表示のままで画面上に表示させておくことができるので、常に画面上に表示しておきたい領域がある場合には、ユーザは拡大表示のＯＮ／ＯＦＦを繰り返したりすることなくその領域を常に画面上に維持でき、ユーザにとって便宜である。
【０００９】
また、本発明に係る画像表示装置において、前記記憶部は、拡大表示をするよう指示された領域のうち、さらなる拡大表示を行わない第２非拡大領域を指定する情報を格納し、前記制御部は、前記画像調整部に拡大表示を指示した後さらなる拡大表示をするよう指示する際に、前記第２非拡大領域を指定する情報を前記記憶部より取得し、その第２非拡大領域はさらなる拡大表示をしないよう前記画像調整部に指示し、前記画像調整部は、前記第２非拡大領域を拡大表示するとともに、拡大表示するよう指示された領域のうち前記第２非拡大領域以外の領域をさらに拡大表示するよう、前記画像信号処理部が処理した画像信号を調整し、前記表示部は、前記画像調整部が調整した画像信号に基づき画像表示を行う。
そのため、拡大表示を１段階で留めておきたい領域がある場合に、画像を拡大しすぎてその領域が画面からはみ出してしまうことがなく、ユーザにとって便宜である。
【００１０】
また、本発明に係る画像表示装置の制御方法は、画像表示を行う画像表示装置の画像表示動作を制御する方法であって、画像の拡大表示をするよう指示するステップと、拡大表示を行わない非拡大領域を指定する情報を取得するステップと、前記非拡大領域を通常表示するとともに、拡大表示するよう指示した領域を拡大表示するよう画像を調整するステップと、調整した画像を表示させるステップと、を有する。
そのため、拡大表示時にも非拡大領域を通常表示のままで画面上に表示させておくことができるので、常に画面上に表示しておきたい領域がある場合には、ユーザは拡大表示のＯＮ／ＯＦＦを繰り返したりすることなくその領域を常に画面上に維持でき、ユーザにとって便宜である。
【発明を実施するための最良の形態】
【００１１】
実施の形態１．
図１は、本発明の実施の形態１に係る画像表示装置１０の機能ブロック図である。
画像表示装置１０は、入力画像信号を受け取り、表示部１８にて画面表示する装置である。ここでいう画像には、静止画像、動画像など任意の画像が含まれる。
画像表示装置１０は、操作パネル１１、操作信号処理部１２、画像信号入力部１３、画像信号処理部１４、制御部１５、記憶部１６、画像調整部１７、表示部１８を備える。
【００１２】
操作パネル１１は、画像表示装置１０の本体筐体の外面に設けられ、ユーザの操作情報を受け付けるためのものである。
ユーザが操作パネル１１に配置されたキーを押下等すると、それに対応した操作信号が操作信号処理部１２に出力される。
操作信号処理部１２は、操作パネル１１が出力した操作信号を受け取り、デジタル信号に変換するなどの処理を施して、制御部１５に出力する。
【００１３】
画像信号入力部１３は、入力画像信号を受け取り、デジタル信号に変換するなどの処理を施して、画像信号処理部１４に出力する。
画像信号処理部１４は、画像信号入力部１３から受け取った画像信号と制御部１５の指示に基づいてデジタルの出力画像信号を生成し、表示部１８に出力する。必要に応じて、フレームメモリに一旦画像信号を格納し、フレームメモリ上で出力画像信号を構築するようにしてもよい。
画像信号処理部１４は、マイクロプロセッサ等により構成され、内蔵したプログラムを実行することにより、上記の処理を行う。
【００１４】
制御部１５は、画像信号処理部１４および画像調整部１７の動作を制御する。
また、記憶部１６に格納されている後述の非拡大領域を指定する情報を読み取り、画像の拡大表示を行う際に、後述の非拡大領域に関する処理を行う。
制御部１５は、その機能を実現する回路デバイスのようなハードウェアで構成することもできるし、マイコンやＣＰＵ（Ｃｅｎｔｒａｌ  Ｐｒｏｃｅｓｓｉｎｇ  Ｕｎｉｔ）のような演算装置とその動作を規定する制御プログラムで構成することもできる。
【００１５】
記憶部１６は、後述する非拡大領域を指定する情報を格納している。
記憶部１６は、ＨＤＤ（Ｈａｒｄ  Ｄｉｓｋ  Ｄｒｉｖｅ）やフラッシュＲＯＭ（Ｒｅａｄ  Ｏｎｌｙ  Ｍｅｍｏｒｙ）のような書き込み可能な記憶装置で構成することができる。
【００１６】
画像調整部１７は、画像信号処理部１４が生成した出力画像信号を受け取り、制御部１５の指示に基づき、画像の拡大表示を行う際に、非拡大部分を通常表示するとともに非拡大領域以外の領域を拡大表示するよう、出力画像信号を調整する。詳細は後述する。
なお、出力画像信号の調整を行わない場合は、画像信号処理部１４が生成した出力画像信号をそのまま出力する。また、非拡大領域の指定がない場合は、非拡大領域に係る後述の画像調整は行わない。
画像調整部１７は、その機能を実現する回路デバイスのようなハードウェアで構成することもできるし、マイコンやＣＰＵのような演算装置とその動作を規定するプログラムで構成することもできる。また、制御部１５の機能の一部として構成することもできる。本実施の形態１では、説明の便宜上、独立した構成部として記載する。
【００１７】
表示部１８は、例えば液晶ディスプレイ装置などで構成され、画像信号処理部１４が生成した出力画像信号または画像調整部１７が調整した画像信号を受け取り、その画像を画面表示するものである。
【００１８】
以上、図１の各機能ブロックについて説明した。
次に、本実施の形態１における画像の拡大表示と非拡大領域について、従来の拡大表示と比較しながら説明する。
【００１９】
図２は、本実施の形態１における画像の拡大表示と非拡大領域を説明するものである。
図２（ａ）は従来の拡大表示の画面例、図２（ｂ）は本実施の形態１における拡大表示の画面例を示す。
拡大表示前の画像では、画像の上部にタイトルバー、下部にステータスバーがそれぞれ設けられている。これらは表示画像の一部として作成されているものであり、画像表示装置１０が自動表示しているものではないことを付言しておく。
【００２０】
図２（ａ）のような従来の拡大表示では、ユーザは表示画像のうち拡大したい領域（図２中の「拡大領域」）を画面操作などで指定し、拡大表示を指示する。その後、拡大領域として指定した領域が、画面一杯に拡大されて表示される。
このとき、画面上部のタイトルバーと下部のステータスバーは、画面上から消えてしまうので、再度これらを見たい場合は、通常表示に戻すか、もしくは拡大領域をずらさなければならない。
タイトルバーやステータスバーは、画像表示の内容や進行を表示するものであるため、画像の視聴者や説明者にとってはこれらが常に画面表示されていた方が便宜である。
【００２１】
一方、上記特許文献１のような手法を用いる場合は、拡大画像と全体画像を１画面内に同時に表示するため、表示領域が狭くなってしまい、タイトルバーやステータスバーが小さく表示されて見難くなることがある。
【００２２】
そこで、本実施の形態１に係る画像表示装置１０は、拡大表示をする際でも、画像のうちの一定の領域を非拡大領域とし、この非拡大領域は、拡大表示時でも通常表示を維持するものとする。
【００２３】
図２（ｂ）は、本実施の形態１における拡大表示の画面例である。
本実施の形態１に係る画像表示装置１０では、拡大表示時でも通常表示を行う非拡大領域をあらかじめユーザが指定しておき、拡大表示時は非拡大領域を通常表示するとともに拡大領域を拡大表示する。
この手法によれば、拡大表示時でも非拡大領域を通常表示のままで維持するので、タイトルバーやステータスバーが画面上から消えてしまったり、小さく表示されたりすることがなく、ユーザにとって便宜である。
【００２４】
図３は、非拡大領域を設定する画面例と、設定により記憶部１６に格納される情報とを示すものである。図３（ａ）は非拡大領域を設定する画面例、図３（ｂ）は記憶部１６に格納される情報を示す。
ユーザは、図３（ａ）に示すような設定画面で、図２で説明した非拡大領域をあらかじめ設定しておく。設定の仕方は、例えば矩形の非拡大領域を設定する場合、非拡大領域として指定する領域の左上座標と右下座標をそれぞれポインタ（図３中の矢印）で指定するなどとすればよい。
設定した非拡大領域の座標は、画面の左上を原点とし、左上座標と右下座標に分けて記憶部１６に格納される。
【００２５】
記憶部１６に格納した非拡大領域の座標情報は、画像表示装置１０の電源ＯＦＦ時に消去してもよいし、そのまま保持しておいてもよい。
【００２６】
なお、複数の非拡大領域を指定する場合は、同様の設定操作を繰り返し行えばよい。
複数の非拡大領域を指定する場合に備え、記憶部１６には、非拡大領域の通番を各座標情報と併せて格納するようにしてもよい。この場合は、記憶部１６に複数行のデータが格納されることになる。
【００２７】
以上、図２〜図３を用いて、非拡大領域とその設定の仕方について説明した。
次に、画像表示装置１０が拡大表示を行う際の内部動作を説明する。
【００２８】
図４は、画像表示装置１０が拡大表示を行う際の動作フローである。以下、図４の各ステップについて説明する。なお、非拡大領域を指定する座標情報は、記憶部１６に格納済みであるものとする。
【００２９】
（Ｓ４０１）
ユーザは、拡大領域を画面上で指定し、その領域を拡大表示すべき旨を操作パネル１１のボタン押下などにより画像表示装置１０に指示する。
その操作信号が、操作パネル１１、操作信号処理部１２を介して制御部１５に出力される。制御部１５はその信号を受け取り、本処理フローが開始される。
なお、このときユーザが指定した拡大領域の座標や拡大率は、図示しないＲＡＭ（Ｒａｎｄｏｍ  Ａｃｃｅｓｓ  Ｍｅｍｏｒｙ）などに一旦格納される。
（Ｓ４０２）
制御部１５は、記憶部１６に格納されている、非拡大領域を指定する座標情報（図３（ｂ）で説明した「左上座標」「右下座標」）を取得する。
【００３０】
（Ｓ４０３）
制御部１５は、ステップＳ４０２で座標情報を取得した非拡大領域について、拡大表示することなく通常表示を行うよう、画像調整部１７に指示する。
画像調整部１７は、画像信号処理部１４（フレームメモリを備えている場合はフレームメモリ）より拡大処理前の画像信号を取得し、非拡大領域の画像信号を通常表示するように、その画像信号を調整する。
具体的には、例えば拡大前の画像信号のうち非拡大領域部分のみを切り取り、それ以外の部分を空の状態とした画像信号を生成する、といった処理を行う。
【００３１】
（Ｓ４０４）
制御部１５は、ステップＳ４０１でユーザが指定した拡大領域の座標と拡大率を、ＲＡＭなどから取得する。
【００３２】
（Ｓ４０５）
制御部１５は、ステップＳ４０４で座標情報を取得した拡大領域について、ユーザが指示した拡大率で拡大表示を行うよう、画像調整部１７に指示する。
画像調整部１７は、画像信号処理部１４（フレームメモリを備えている場合はフレームメモリ）より拡大処理前の画像信号を取得し、拡大領域の画像信号を拡大表示するように、その画像信号を調整する。
具体的には、例えば拡大前の画像信号のうち拡大領域部分のみを切り取り、その部分をユーザが指定した拡大率で拡大表示した画像信号を生成する、といった処理を行う。
次に、画像調整部１７は、ステップＳ４０３で調整した画像信号と、本ステップで調整した画像信号とを合成し、画像サイズを調整するなど必要な処理を施して、非拡大領域と拡大領域を合わせた画像信号を生成する。
【００３３】
（Ｓ４０６）
画像調整部１７は、ステップＳ４０５で生成した画像信号を、表示部１８に出力する。表示部１８は、調整後の画像信号の内容を画面表示する。
【００３４】
なお、非拡大領域に表示する画像は、操作パネル１１のボタン押下などによりユーザが拡大表示を指示した時点で同領域に表示されている画像であり、拡大表示を解除して再度別の画像にて拡大表示を指示した際には、その時点で改めて非拡大領域に表示する画像を再構築する。
即ち、非拡大領域に表示する画像は、拡大表示を指示する毎に異なる場合がある。
【００３５】
以上の説明において、非拡大領域として画面上下のタイトルバーやステータスバー部分を指定することを説明したが、これらは一例であり、非拡大領域として指定するのはこれら以外の部分でもよく、また画面の上下以外でもよい。
もっとも、実用上の観点からは、画面の上下や左右などの端部領域を指定することが多いであろう。
【００３６】
また、以上の説明において、非拡大領域は矩形領域であるものとして説明したが、非拡大領域の形状は矩形領域に限られるものではなく、ユーザが指定し得る形状であれば任意の形状でよい。非拡大領域を指定する座標情報も、非拡大領域の形状に応じて適宜必要な情報とすればよい。
もっとも、実用上の観点からは、矩形領域を非拡大領域として指定できれば十分であろうと考えられる。
【００３７】
以上のように、本実施の形態１に係る画像表示装置１０は、画像の拡大表示を行う際に、ユーザが拡大表示するよう指定した領域を拡大表示するとともに、非拡大領域としてあらかじめ指定しておいた領域を通常表示のままで維持する。
これにより、タイトルバーやステータスバーのように常に画面表示しておきたい部分を拡大表示時にも画面上に表示させておくことができるので、ユーザにとって便宜である。
【００３８】
また、本実施の形態１に係る画像表示装置１０では、非拡大領域は通常表示の状態が維持されるので、タイトルバーやステータスバーが小さく画面表示されるようなことがなく、特許文献１に記載の技術と比較して、常に画面表示しておきたい部分の視認性を損なうことがない。
【００３９】
実施の形態２．
実施の形態１では、非拡大領域をあらかじめ指定しておき、この非拡大領域は拡大表示時に通常表示を維持する構成と動作例を説明した。
本発明の実施の形態２では、拡大領域の中において、これ以上の拡大を行わない領域を指定する構成と動作例を説明する。なお、本実施の形態２に係る画像表示装置１０の機能ブロック図は、実施の形態１で説明した図１と同様であるため、説明を省略する。
【００４０】
図５は、本実施の形態２における画像の拡大表示を説明するものである。
本実施の形態２に係る画像表示装置１０は、拡大表示を段階的に行うことができるものとする。図５（ａ）は１段階目の拡大表示例、図５（ｂ）は図５（ａ）からさらに拡大表示を行った２段階目の拡大表示例を示す。
【００４１】
図５（ａ）において、拡大領域の左上には、拡大領域に表示しているグラフのタイトルが表示されているものとする（図５（ａ）「拡大領域」中の左上着色部分）。
このような部分は、拡大表示時も画面上に表示しておきたいが、タイトルバーやステータスバーと異なり、画像によって位置や大きさが異なるため、全画像に共通の非拡大領域として指定することはできない。
【００４２】
図５（ａ）に示す１段階目の拡大表示時は、上述のグラフのタイトル部分も併せて拡大表示されるが、拡大率が小さいため、タイトル部分はまだ画面上に表示されている。
しかし、図５（ｂ）に示す２段階目の拡大表示時は、上述のグラフのタイトル部分は画面からはみ出してしまい、画面上から消えてしまっている。
【００４３】
このはみ出てしまった領域を画面表示させるためには、拡大表示を１つ前の段階に戻すか、もしくは拡大領域をずらさなければならない。
そこで、本実施の形態２に係る画像表示装置１０は、拡大領域内において常に画面上に表示しておきたい領域をあらかじめ指定しておき、２段階目の拡大表示時もこの領域を画面上に維持する。
【００４４】
図６は、２段階目の拡大表示時における望ましい表示例を示すものである。
図６（ａ）は、１段階目の拡大表示時の表示例である。図６（ａ）の左上には、グラフのタイトル部分が表示されている。
図６（ａ）からさらに拡大表示を行うと、図６（ｂ）の２段階目の表示となる。
図６（ｂ）において、図６（ａ）の左上部分に表示されていたタイトル部分が、そのまま画面上に維持されている。
このように、拡大表示を段階的に行う場合において、拡大領域中に、拡大表示を１段階で留めておきたい領域がある場合は、その領域をあらかじめ指定しておき、２段階目以降の拡大表示を行わないようにする必要がある。
【００４５】
上述の、拡大表示を１段階で留めておく領域のことを、「第２非拡大領域」と呼ぶことにする。
【００４６】
図７は、第２非拡大領域を設定する画面例と、設定により記憶部１６に格納される情報とを示すものである。図７（ａ）は第２非拡大領域を設定する画面例、図７（ｂ）は記憶部１６に格納される情報を示す。
【００４７】
図７は実施の形態１で説明した図３と概ね同様であるが、第２非拡大領域は拡大領域中のサブ領域であるため、図７（ａ）において、第２非拡大領域の設定は、拡大領域中の領域として指定する。
同様に、図７（ｂ）において、各座標は拡大領域の左上座標を原点とした座標である。
【００４８】
以上、図５〜図７を用いて、第２非拡大領域とその設定の仕方について説明した。
次に、画像表示装置１０が２段階目の拡大表示を行う際の内部動作を説明する。
【００４９】
図８は、画像表示装置１０が２段階目の拡大表示を行う際の動作フローである。以下、図８の各ステップについて説明する。なお、第２非拡大領域を指定する座標情報は、記憶部１６に格納済みであるものとする。
【００５０】
（Ｓ８０１）
ユーザは、画像を拡大表示している状態（１段階目の拡大表示）において、その領域をさらに拡大表示（２段階目の拡大表示）すべき旨を操作パネル１１のボタン押下などにより指示する。
その操作信号が、操作パネル１１、操作信号処理部１２を介して制御部１５に出力される。制御部１５はその信号を受け取り、本処理フローが開始される。
なお、このときユーザが指定した２段階目の拡大率は、図示しないＲＡＭなどに一旦格納される。
【００５１】
（Ｓ８０２）
制御部１５は、記憶部１６に格納されている、第２非拡大領域を指定する座標情報（図７（ｂ）で説明した「左上座標」「右下座標」）を取得する。
【００５２】
（Ｓ８０３）
制御部１５は、ステップＳ８０２で座標情報を取得した第２非拡大領域について、１段階目の拡大表示を行うよう、画像調整部１７に指示する。
画像調整部１７は、１段階目の拡大処理後の画像信号を取得し、第２非拡大領域の画像信号を１段階目の拡大表示するように、その画像信号を調整する。
拡大処理後の画像信号の取得元は、自らが拡大処理した画像信号を取得するものでもよいし、フレームメモリを備える場合は、フレームメモリに一旦格納した拡大処理後の画像信号を取得するものでもよい。ステップＳ８０５でも同様である。
具体的には、例えば１段階目の拡大後の画像信号のうち第２非拡大領域部分のみを切り取り、それ以外の部分を空の状態とした画像信号を生成する、といった処理を行う。
【００５３】
（Ｓ８０４）
制御部１５は、ステップＳ８０１でユーザが指定した拡大率を、ＲＡＭなどから取得する。なお、拡大領域の座標は１段階目の拡大表示時に既に取得済みであるから、２段階目の拡大表示時は改めて取得しなくともよい。
【００５４】
（Ｓ８０５）
制御部１５は、拡大領域のうち第２非拡大領域以外の領域について、２段階目の拡大表示を行うよう、画像調整部１７に指示する。
画像調整部１７は、１段階目の拡大処理後の画像信号を取得し、拡大領域の画像信号を２段階目の拡大表示するように、その画像信号を調整する。
具体的には、例えば拡大後の画像信号のうち第２非拡大領域以外の領域のみを切り取り、その部分をユーザが指定した拡大率で２段階目の拡大表示した画像信号を生成する、といった処理を行う。
次に、画像調整部１７は、ステップＳ８０３で調整した画像信号と、本ステップで調整した画像信号とを合成し、画像サイズを調整するなど必要な処理を施して、第２非拡大領域と拡大領域を合わせた画像信号を生成する。
【００５５】
（Ｓ８０６）
画像調整部１７は、ステップＳ８０５で生成した画像信号を、表示部１８に出力する。表示部１８は、調整後の画像信号の内容を画面表示する。
【００５６】
以上の説明において、第２非拡大領域は矩形領域であるものとして説明したが、第２非拡大領域の形状は矩形領域に限られるものではなく、ユーザが指定し得る形状であれば任意の形状でよい。
【００５７】
以上のように、本実施の形態２に係る画像表示装置１０は、第２非拡大領域として指定した領域は、拡大表示時にさらなる拡大表示（２段階目の拡大表示）を行うことなく、１段階目の拡大表示で留めておく。
これにより、２段階目の拡大表示時において画面からはみ出すことなく画面上に維持する領域を指定することができるので、拡大表示を１段階で留めておきたい領域がある場合において、ユーザにとって便宜である。
【００５８】
実施の形態３．
実施の形態１〜２では、画像表示装置１０が備える表示部１８は、液晶ディスプレイ装置などで構成されることを説明した。しかし、本発明の適用上、表示部１８の構成はこれに限られるものではなく、ユーザが最終的に画像を視ることができる任意の構成を用いることができる。
本発明の実施の形態３では、画像表示装置の別の構成例として、画面表示を行う表示部１８に代えて画像の投射を行う表示部２１を備えたプロジェクタ２０の構成を説明する。
【００５９】
図９は、本発明の実施の形態３に係るプロジェクタ２０の機能ブロック図である。
プロジェクタ２０は、映像をスクリーン３０に投射し、ユーザに視聴画像を提供するものである。
プロジェクタ２０は、実施の形態１〜２のいずれかで説明した画像表示装置１０と同様の構成（図９の操作パネル１１〜画像調整部１７）を備えるとともに、表示部２１を備える。なお、図９では、実施の形態１と同様の構成を備えた例を図示した。
【００６０】
表示部２１は、光源、投射光学系などの映像投射に必要な構成を適宜備え、画像信号処理部１４が生成した出力画像信号または画像調整部１７が調整した画像信号を受け取り、その映像を投射するものである。
【００６１】
以上のように、本実施の形態３によれば、プロジェクタ２０は、実施の形態１〜２で説明した画像表示装置１０と同等の機能を備えることができる。これにより、画像表示装置１０と同等の効果を発揮することができる。
本発明は、液晶ライトバルブや微小ミラーアレイデバイス等の種々のライトバルブを用いたプロジェクタに適用できる。
【図面の簡単な説明】
【００６２】
【図１】実施の形態１に係る画像表示装置１０の機能ブロック図である。
【図２】実施の形態１における画像の拡大表示と非拡大領域を説明するものである。
【図３】非拡大領域を設定する画面例と記憶部１６に格納される情報例である。
【図４】画像表示装置１０が拡大表示を行う際の動作フローである。
【図５】実施の形態２における画像の拡大表示を説明するものである。
【図６】２段階目の拡大表示時における望ましい表示例を示すものである。
【図７】第２非拡大領域を設定する画面例と記憶部１６に格納される情報例である。
【図８】画像表示装置１０が２段階目の拡大表示を行う際の動作フローである。
【図９】実施の形態３に係るプロジェクタ２０の機能ブロック図である。
【符号の説明】
【００６３】
１０  画像表示装置、１１  操作パネル、１２  操作信号処理部、１３  画像信号入力部、１４  画像信号処理部、１５  制御部、１６  記憶部、１７  画像調整部、１８  表示部、２０  プロジェクタ、２１  表示部。
【図１】
2009116235.tif 000003
【図２】
2009116235.tif 000004
【図３】
2009116235.tif 000005
【図４】
2009116235.tif 000006
【図５】
2009116235.tif 000007
【図６】
2009116235.tif 000008
【図７】
2009116235.tif 000009
【図８】
2009116235.tif 000010
【図９】
2009116235.tif 000011